(57)【要約】【課題】電子機器の寿命に関して、電子機器に関係する者の利便性を向上できる情報処理装置を提供する。【解決手段】サーバー５は、通信部５３と、算出部５１１と、判定部５１３と、通信制御部５１５とを備える。通信部５３は、電子機器１の駆動時間を特定する情報ＤＴを、電子機器１からネットワークＮＷを介して受信する。算出部５１１は、情報ＤＴに基づいて特定される駆動時間の累計値を算出する。判定部５１３は、累計値が第１閾値ＴＨ１を超えたか否かを判定する。通信制御部５１５は、累計値が第１閾値ＴＨ１を超えたと判定された場合に、電子機器１の寿命に関する寿命情報ＬＦを報知する。【選択図】図４
2020205181.tif 000002
【特許請求の範囲】
【請求項１】
電子機器の駆動時間を特定する情報を、前記電子機器からネットワークを介して受信する通信部と、
前記情報に基づいて特定される前記駆動時間の累計値を算出する算出部と、
前記累計値が第１閾値を超えたか否かを判定する判定部と、
前記累計値が前記第１閾値を超えたと判定された場合に、前記電子機器の寿命に関する寿命情報を報知する報知制御部と
を備える、情報処理装置。
【請求項２】
前記報知制御部は、リクエスト信号に応答して、前記寿命情報を報知する、請求項１に記載の情報処理装置。
【請求項３】
前記累計値が前記第１閾値を超えたと判定された場合に、前記報知制御部は、前記電子機器に所定動作を実行させる制御情報を生成する、請求項１又は請求項２に記載の情報処理装置。
【請求項４】
前記累計値が前記第１閾値を超えたと判定された場合に、前記報知制御部は、前記電子機器の代替品に関する情報と、前記電子機器の前記代替品の販売に関する情報とのうちの少なくとも一方の情報を報知する、請求項１から請求項３のいずれか１項に記載の情報処理装置。
【請求項５】
前記判定部は、前記累計値が第２閾値を超えたか否かを判定し、
前記第２閾値は、前記第１閾値よりも小さく、
前記累計値が前記第２閾値を超えたと判定された場合に、前記報知制御部は、前記電子機器の部品の寿命に関する部品寿命情報を報知する、請求項１から請求項４のいずれか１項に記載の情報処理装置。
【請求項６】
前記電子機器は、照明器具である、請求項１から請求項５のいずれか１項に記載の情報処理装置。
【請求項７】
電子機器と、
前記電子機器とネットワークを介して接続される情報処理装置と
を備え、
前記情報処理装置は、
前記電子機器の駆動時間を特定する情報を、前記電子機器から前記ネットワークを介して受信する通信部と、
前記情報に基づいて特定される前記駆動時間の累計値を算出する算出部と、
前記累計値が閾値を超えたか否かを判定する判定部と、
前記累計値が前記閾値を超えたと判定された場合に、前記電子機器の寿命に関する寿命情報を報知する報知制御部と
を含む、通信システム。
【請求項８】
コンピューターに、
電子機器の駆動時間を特定する情報を、前記電子機器からネットワークを介して受信するステップと、
前記情報に基づいて特定される前記駆動時間の累計値を算出するステップと、
前記累計値が閾値を超えたか否かを判定するステップと、
前記累計値が前記閾値を超えたと判定された場合に、前記電子機器の寿命に関する寿命情報を報知するステップと
を実行させるコンピュータープログラム。
【請求項９】
電子機器の駆動時間を特定する情報を、前記電子機器からネットワークを介して受信するステップと、
前記情報に基づいて特定される前記駆動時間の累計値を算出するステップと、
前記累計値が閾値を超えたか否かを判定するステップと、
前記累計値が前記閾値を超えたと判定された場合に、前記電子機器の寿命に関する寿命情報を報知するステップと
を含む、情報処理方法。
【発明の詳細な説明】
【技術分野】
【０００１】
本発明は、情報処理装置、通信システム、コンピュータープログラム、及び、情報処理方法に関する。
【背景技術】
【０００２】
特許文献１は、センシングユニット及びサーバーユニットを開示する。センシングユニットは、ユーザーの生活空間の照度を計測し、照明器具の近傍に設置される。具体的には、センシングユニットは、生活空間の照度を一定の周期で計測して、照度計測データをサーバーユニットへ送信する。
【０００３】
サーバーユニットは、サービス事業者が運用するサーバコンピュータからなる。サーバーユニットは、センシングユニットから送られた照度計測データの中から、予め日照時間格納部に記憶された日照時間情報をもとに日没から日の出までの時間帯に含まれる日照計測データを抽出して記憶する。そして、サーバーユニットは、参照要求された日の照度計測データと過去の振り返り期間に含まれる複数の日の照度計測データとを同一の時刻同士で比較する。さらに、サーバーユニットは、比較結果をもとに参照要求された日の照明点灯パターンと過去の複数の日の照明点灯パターンとの間の類似度をそれぞれ判定する。その結果、季節による日照の変化、及び、天候による日照の変化の影響を排除して、照明点灯パターンの類似度を正確に判定することが可能である。
【先行技術文献】
【特許文献】
【０００４】
【特許文献１】特開２０１４−２１９７９４号公報
【発明の概要】
【発明が解決しようとする課題】
【０００５】
しかしながら、特許文献１では、サーバーユニットは、照度計測データを記憶して、照明点灯パターンの類似度を判定できるに過ぎない。従って、サーバーユニットは、照明器具等の電子機器に関係する者（例えば、ユーザー、販売業者、又は、製造業者）の利便性を向上する処理を実行していない。特に、サーバーユニットは、電子機器の寿命に関して、電子機器に関係する者の利便性を向上する処理を実行していない。
【０００６】
本発明は、上記問題に鑑みてなされたものであり、その目的は、電子機器の寿命に関して、電子機器に関係する者の利便性を向上できる情報処理装置、通信システム、コンピュータープログラム、及び、情報処理方法を提供することにある。
【課題を解決するための手段】
【０００７】
本願に開示する情報処理装置は、通信部と、算出部と、判定部と、報知制御部とを備える。通信部は、電子機器の駆動時間を特定する情報を、前記電子機器からネットワークを介して受信する。算出部は、前記情報に基づいて特定される前記駆動時間の累計値を算出する。判定部は、前記累計値が第１閾値を超えたか否かを判定する。報知制御部は、前記累計値が前記第１閾値を超えたと判定された場合に、前記電子機器の寿命に関する寿命情報を報知する。
【０００８】
本願に開示する情報処理装置において、前記報知制御部は、リクエスト信号に応答して、前記寿命情報を報知することが好ましい。
【０００９】
本願に開示する情報処理装置において、前記累計値が前記第１閾値を超えたと判定された場合に、前記報知制御部は、前記電子機器に所定動作を実行させる制御情報を生成することが好ましい。
【００１０】
本願に開示する情報処理装置において、前記累計値が前記第１閾値を超えたと判定された場合に、前記報知制御部は、前記電子機器の代替品に関する情報と、前記電子機器の前記代替品の販売に関する情報とのうちの少なくとも一方の情報を報知することが好ましい。
【００１１】
本願に開示する情報処理装置において、前記判定部は、前記累計値が第２閾値を超えたか否かを判定することが好ましい。前記第２閾値は、前記第１閾値よりも小さいことが好ましい。前記累計値が前記第２閾値を超えたと判定された場合に、前記報知制御部は、前記電子機器の部品の寿命に関する部品寿命情報を報知することが好ましい。
【００１２】
本願に開示する情報処理装置において、前記電子機器は、照明器具であることが好ましい。
【００１３】
本願に開示する通信システムは、電子機器と、情報処理装置とを備える。情報処理装置は、前記電子機器とネットワークを介して接続される。情報処理装置は、通信部と、算出部と、判定部と、報知制御部とを備える。通信部は、電子機器の駆動時間を特定する情報を、前記電子機器からネットワークを介して受信する。算出部は、前記情報に基づいて特定される前記駆動時間の累計値を算出する。判定部は、前記累計値が第１閾値を超えたか否かを判定する。報知制御部は、前記累計値が前記第１閾値を超えたと判定された場合に、前記電子機器の寿命に関する寿命情報を報知する。
【００１４】
本願に開示するコンピュータープログラムは、コンピューターに、電子機器の駆動時間を特定する情報を、前記電子機器からネットワークを介して受信するステップと、前記情報に基づいて特定される前記駆動時間の累計値を算出するステップと、前記累計値が閾値を超えたか否かを判定するステップと、前記累計値が前記閾値を超えたと判定された場合に、前記電子機器の寿命に関する寿命情報を報知するステップとを実行させる。
【００１５】
本願に開示する情報処理方法は、電子機器の駆動時間を特定する情報を、前記電子機器からネットワークを介して受信するステップと、前記情報に基づいて特定される前記駆動時間の累計値を算出するステップと、前記累計値が閾値を超えたか否かを判定するステップと、前記累計値が前記閾値を超えたと判定された場合に、前記電子機器の寿命に関する寿命情報を報知するステップとを含む。
【発明の効果】
【００１６】
本発明によれば、電子機器の寿命に関して、電子機器に関係する者の利便性を向上できる。
【図面の簡単な説明】
【００１７】
【図１】本発明の実施形態に係る通信システムを示す図である。
【図２】本実施形態に係る電子機器を示す図である。
【図３】本実施形態に係る通信端末を示す図である。
【図４】本実施形態に係るサーバーを示す図である。
【図５】本実施形態に係るサーバーによる状態信号リクエスト処理を示すフローチャートである。
【図６】本実施形態に係るサーバーによる状態信号受信処理を示すフローチャートである。
【図７】本実施形態に係るサーバーによる寿命評価処理の一部を示すフローチャートである。
【図８】本実施形態に係るサーバーによる寿命評価処理の他の一部を示すフローチャートである。
【発明を実施するための形態】
【００１８】
以下、図面を参照して本発明の実施形態を説明する。ただし、本発明は以下の実施形態に限定されない。図中、同一又は相当部分については同一の参照符号を付して説明を繰り返さない。図面は、理解しやすくするために、それぞれの構成要素を主体に模式的に示している。
【００１９】
図１〜図８を参照して、本発明の実施形態に係る通信システム１００を説明する。図１は、本実施形態に係る通信システム１００を示す図である。図１に示すように、通信システム１００は、複数の電子機器１と、複数の通信端末３と、サーバー５とを備える。本実施形態では、複数の通信端末３は、電子機器１のユーザーが管理する通信端末３ａと、電子機器１の販売業者又は製造業者が管理する通信端末３ｂとを含む。なお、通信システム１００は、単数の電子機器１を備えていてもよいし、単数の通信端末３を備えていてもよい。
【００２０】
複数の電子機器１と複数の通信端末３とサーバー５とは、ネットワークＮＷに接続され、相互に通信する。つまり、複数の電子機器１と複数の通信端末３とサーバー５とは、互いに、ネットワークＮＷを介して接続される。ネットワークＮＷは、例えば、インターネット、ＬＡＮ（Ｌｏｃａｌ  Ａｒｅａ  Ｎｅｔｗｏｒｋ）、公衆電話網、及び、近距離無線ネットワークを含む。ネットワークＮＷには、各種通信機器（例えば、ルーター、ブリッジ、アクセスポイント、ハブ、及び、リピーター）が接続されている。
【００２１】
複数の電子機器１は、同じ種類の電子機器であってもよいし、異なる種類の電子機器であってもよい。電子機器１の種類は、電力によって駆動されて寿命が存在する限りにおいては、特に限定されない。電子機器１は、例えば、照明器具、テレビ、空調機器、又は、冷蔵庫である。
【００２２】
以下の説明では、電子機器１は照明器具である。
【００２３】
次に、図２を参照して、電子機器１を説明する。図２は、本実施形態に係る電子機器１を示す図である。図２に示すように、電子機器１は、制御部１１と、光源部１３と、通信部１５と、記憶部１７とを備える。
【００２４】
制御部１１は、光源部１３、通信部１５、及び、記憶部１７を制御する。制御部１１は、ＣＰＵ（Ｃｅｎｔｒａｌ  Ｐｒｏｃｅｓｓｉｎｇ  Ｕｎｉｔ）のようなプロセッサーを含む。
【００２５】
記憶部１７は、記憶装置を含み、データ及びコンピュータープログラムを記憶する。具体的には、記憶部１７は、半導体メモリーのような主記憶装置と、半導体メモリーのような補助記憶装置とを含む。記憶部１７は、リムーバブルメディアを含んでいてもよい。
【００２６】
制御部１１のプロセッサーは、記憶部１７の記憶装置が記憶しているコンピュータープログラムを実行して、光源部１３、通信部１５、及び、記憶部１７を制御する。例えば、制御部１１及び記憶部１７は、マイクロコンピューターに搭載される。
【００２７】
光源部１３は光を出射する。光源部１３は光源を含む。光源は、例えば、発光素子、白熱電球、又は、蛍光灯である。発光素子は、例えば、ＬＥＤ（Ｌｉｇｈｔ  Ｅｍｉｔｔｉｎｇ  Ｄｉｏｄｅ）、又は、有機エレクトロルミネッセンス素子である。光源部１３は、例えば、発光素子等の光源の他に、光源駆動回路（例えば点灯回路）及び電源を含む。
【００２８】
通信部１５は、ネットワークＮＷに接続して、サーバー５及び通信端末３と通信する。通信部１５は、例えば、無線通信を行う無線通信モジュール、又は、有線通信を行う有線通信モジュールである。通信部１５は、例えば、近距離無線通信を実行する無線通信モジュールである。近距離無線通信は、例えば、通信距離が数メートルから数十メートル程度の無線通信である。近距離無線通信は、例えば、Ｂｌｕｅｔｏｏｔｈ（登録商標）、ＺｉｇＢｅｅ（登録商標）、又は、ＷｉＦｉによって定められる通信規格に準じた通信である。
【００２９】
特に、本実施形態では、制御部１１は、電子機器１の駆動時間を特定する情報をサーバー５に送信するように、通信部１５を制御する。その結果、通信部１５は、電子機器１の駆動時間を特定する情報を、ネットワークＮＷを介してサーバー５に送信する。つまり、電子機器１は、電子機器１の駆動時間を特定する情報を、ネットワークＮＷを介してサーバー５に送信する。
【００３０】
「電子機器１の駆動時間を特定する情報」は、「電子機器１の駆動時間を示す情報」、又は、「電子機器１の駆動時間を特定するための情報」である。「電子機器１の駆動時間を特定するための情報」は、電子機器１の駆動時間を特定できる限りにおいては、特に限定されない。「電子機器１の駆動時間を特定するための情報」は、例えば、電子機器１が駆動中であることを示す情報であってもよいし、電子機器１の駆動開始（オン）を示す情報及び電子機器１の駆動終了（オフ）を示す情報であってもよい。
【００３１】
本実施形態では、「電子機器１の駆動時間を特定する情報」は、「電子機器１の点灯時間を特定する情報」である。「電子機器１の点灯時間を特定する情報」は、「電子機器１の点灯時間を示す情報」、又は、「電子機器１の点灯時間を特定するための情報」である。「電子機器１の点灯時間を特定するための情報」は、電子機器１の点灯時間を特定できる限りにおいては、特に限定されない。「電子機器１の点灯時間を特定するための情報」は、例えば、電子機器１が点灯中であることを示す情報であってもよいし、電子機器１の点灯開始（オン）を示す情報及び電子機器１の点灯終了（オフ）を示す情報であってもよい。
【００３２】
すなわち、本明細書において、「駆動時間」を「点灯時間」と読み替えることができ、「駆動開始」を「点灯開始」と読み替えることができ、「駆動終了」を「点灯終了」と読み替えることができ、「駆動中」を「点灯中」と読み替えることができる。換言すれば、本明細書において、「駆動」を「点灯」と読み替えることができる。
【００３３】
なお、複数の電子機器１の各々が、電子機器１の駆動時間を特定する情報を、ネットワークＮＷを介してサーバー５に送信する。
【００３４】
なお、電子機器１は、制御部１１、通信部１５、及び、記憶部１７を備えていなくてもよい。この場合は、電子機器１は、制御部１１、通信部１５、及び、記憶部１７を備える外部装置（例えば、電子機器１のコントローラー）に接続される。そして、外部装置が、電子機器１の駆動時間を特定する情報を、ネットワークＮＷを介してサーバー５に送信する。
【００３５】
次に、図３を参照して、通信端末３を説明する。通信端末３は、例えば、スマートフォン、携帯電話、タブレット端末、パーソナルコンピューター、又は、スマートスピーカーである。パーソナルコンピューターは、例えば、ラップトップ型又はデスクトップ型のパーソナルコンピューターである。
【００３６】
図３は、本実施形態に係る通信端末３を示す図である。図３に示すように、通信端末３は、制御部３１と、表示部３３と、音入力部３４と、音出力部３５と、操作部３６と、通信部３７と、記憶部３９とを備える。なお、通信端末３は、表示部３３と音出力部３５とのうちのいずれか一方を備えていればよい。また、通信端末３は、音入力部３４を備えていなくてもよい。
【００３７】
制御部３１は、表示部３３、音入力部３４、音出力部３５、操作部３６、通信部３７、及び、記憶部３９を制御する。制御部３１は、ＣＰＵのようなプロセッサーを含む。
【００３８】
記憶部３９は、記憶装置を含み、データ及びコンピュータープログラムを記憶する。具体的には、記憶部３９は、半導体メモリーのような主記憶装置と、半導体メモリー、ソリッドステートドライブ、及び／又は、ハードディスクドライブのような補助記憶装置とを含む。記憶部３９は、リムーバブルメディアを含んでいてもよい。
【００３９】
制御部３１のプロセッサーは、記憶部３９の記憶装置が記憶しているコンピュータープログラムを実行して、表示部３３、音入力部３４、音出力部３５、操作部３６、通信部３７、及び、記憶部３９を制御する。
【００４０】
表示部３３は各種情報を表示する。表示部３３は、例えば、ディスプレイを含む。ディスプレイは、例えば、液晶ディスプレイ、又は、有機エレクトロルミネッセンスディスプレイである。
【００４１】
音入力部３４は音を入力する。音入力部３４は、例えば、マイクロフォンを含む。
【００４２】
音出力部３５は音を出力する。音出力部３５は、例えば、スピーカーを含む。
【００４３】
操作部３６は、操作者の入力を受け付けて、操作者の入力に応じた情報を制御部３１に出力する。操作部３６は、例えば、タッチセンサーのようなタッチパネル、キーボード、又は、ポインティングデバイスを含む。タッチパネルは、例えば、表示部３３に重ねて配置される。
【００４４】
通信部１５は、ネットワークＮＷに接続して、サーバー５及び電子機器１と通信する。通信部１５は、例えば、無線通信を行う無線通信モジュール、又は、有線通信を行う有線通信モジュールである。通信部１５は、例えば、電子機器１と同様に、近距離無線通信を実行する無線通信モジュールを含む。通信部１５は、例えば、携帯電話の通信規格に準拠した通信を行う無線通信モジュールを含む。携帯電話の通信規格は、例えば、ＬＴＥ（Ｌｏｎｇ  Ｔｅｒｍ  Ｅｖｏｌｕｔｉｏｎ）、４Ｇ（第４世代移動通信システム）、又は、５Ｇ（第５世代移動通信システム）である。通信部１５は、例えば、所定の通信プロトコルに従って通信を行うネットワークインタフェースコントローラー（ＮＩＣ）を含む。所定の通信プロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコル・スイート（つまり、インターネット・プロトコル・スイート）である。
【００４５】
特に、本実施形態では、制御部３１は、電子機器１の制御信号を電子機器１に送信するように、通信部３７を制御する。その結果、通信部３７は、電子機器１の制御信号を、ネットワークＮＷを介して電子機器１に送信する。つまり、通信端末３（例えば、通信端末３ａ）は、電子機器１の制御信号を、ネットワークＮＷを介して電子機器１に送信する。
【００４６】
「電子機器１の制御信号」は、電子機器１の動作を制御する信号である。本実施形態では、「電子機器１の制御信号」は、照明器具である電子機器１の光量を制御する信号（例えば、調光制御信号）、電子機器１の光色を制御する信号（例えば、調色制御信号）、電子機器１の点灯を指示する信号、又は、電子機器１の消灯を指示する信号である。
【００４７】
次に、図４を参照して、サーバー５を説明する。サーバー５は、単数のコンピューターによって構成されていてもよいし、複数のコンピューターによって構成されていてもよい。複数のコンピューターは、ネットワークＮＷ上に分散して配置されていてもよい。サーバー５は、例えば、クラウドサーバーである。サーバー５は、「情報処理装置」及び「コンピューター」の一例に相当する。
【００４８】
図４は、本実施形態に係るサーバー５を示す図である。図４に示すように、サーバー５は、制御部５１と、通信部５３と、記憶部５５とを備える。制御部５１は、通信部５３及び記憶部５５を制御する。制御部５１は、ＣＰＵのようなプロセッサーを含む。
【００４９】
記憶部５５は、記憶装置を含み、データ及びコンピュータープログラムを記憶する。具体的には、記憶部５５は、半導体メモリーのような主記憶装置と、半導体メモリー、ソリッドステートドライブ、及び／又は、ハードディスクドライブのような補助記憶装置とを含む。記憶部５５は、リムーバブルメディアを含んでいてもよい。なお、記憶部５５は、複数の記憶装置を含んでいて、複数の記憶装置が、ネットワークＮＷ上に分散して配置されていてもよい。
【００５０】
制御部５１のプロセッサーは、記憶部５５の記憶装置が記憶しているコンピュータープログラムを実行して、通信部５３及び記憶部５５を制御する。
【００５１】
通信部５３は、ネットワークＮＷに接続して、電子機器１及び通信端末３と通信する。通信部５３は、例えば、無線通信を行う無線通信モジュール、又は、有線通信を行う有線通信モジュールである。通信部５３は、例えば、電子機器１と同様に、近距離無線通信を実行する無線通信モジュールを含む。通信部５３は、例えば、所定の通信プロトコルに従って通信を行うネットワークインタフェースコントローラー（ＮＩＣ）を含む。
【００５２】
特に、本実施形態では、通信部５３は、電子機器１の駆動時間を特定する情報を、複数の電子機器１の各々からネットワークＮＷを介して受信する。そして、通信部５３は、電子機器１の駆動時間を特定する情報を、制御部５１に出力する。
【００５３】
以下の説明において、「電子機器１の駆動時間を特定する情報」を、「電子機器１の駆動時間を特定する情報ＤＴ」又は「情報ＤＴ」と記載する場合がある。制御部５１は、通信部５３から情報ＤＴを受け取って、情報ＤＴを処理する。
【００５４】
具体的には、制御部５１は、算出部５１１と、判定部５１３と、通信制御部５１５とを含む。制御部５１のプロセッサーは、記憶部５５の記憶装置が記憶しているコンピュータープログラムを実行して、算出部５１１、判定部５１３、及び、通信制御部５１５として機能する。通信制御部５１５は、「報知制御部」の一例に相当する。
【００５５】
情報ＤＴが電子機器１の駆動時間を示す情報である場合には、通信部５３が情報ＤＴを受信するたびに、算出部５１１は電子機器１の駆動時間を示す情報を記憶するように、記憶部５５を制御する。その結果、通信部５３が情報ＤＴを受信するたびに、記憶部５５は電子機器１の駆動時間を示す情報を記憶する。この場合、記憶部５５は、複数の電子機器１ごとに、電子機器１の駆動時間を示す情報を記憶する。
【００５６】
一方、情報ＤＴが電子機器１の駆動時間を特定するための情報である場合には、算出部５１１は、複数の電子機器１ごとに、電子機器１の駆動時間を特定するための情報に基づいて、電子機器１の駆動時間を算出する。そして、算出部５１１は、電子機器１の駆動時間を示す情報を記憶するように、記憶部５５を制御する。その結果、記憶部５５は、複数の電子機器１ごとに、電子機器１の駆動時間を示す情報を記憶する。
【００５７】
例えば、電子機器１は、所定時間間隔で、情報ＤＴをサーバー５に送信する。情報ＤＴは、電子機器１が駆動中であることを示す。この場合、電子機器１は、サーバー５から所定時間間隔で送信されるリクエスト信号に応答して、情報ＤＴを送信してもよい。また、電子機器１は、電子機器１のタイマーに基づいて、情報ＤＴを所定時間間隔でサーバー５に送信してもよい。サーバー５が情報ＤＴを受信している限りは、電子機器１が駆動中であることを示す。従って、サーバー５の算出部５１１は、情報ＤＴを受信した期間を、電子機器１の駆動時間として、記憶部５５に記憶させる。
【００５８】
例えば、電子機器１は、電子機器１の駆動開始（オン）を示す情報を含む情報ＤＴと、電子機器１の駆動終了（オフ）を示す情報を含む情報ＤＴとを、サーバー５に送信する。従って、サーバー５の算出部５１１は、電子機器１の駆動開始（オン）を示す情報の受信時から、電子機器１の駆動終了（オフ）を示す情報の受信時までの期間を、電子機器１の駆動時間として、記憶部５５に記憶させる。
【００５９】
算出部５１１は、情報ＤＴに基づいて特定される電子機器１の駆動時間の累計値を算出する。そして、算出部５１１は、電子機器１の駆動時間の累計値を記憶するように、記憶部５５を制御する。その結果、記憶部５５は、電子機器１の駆動時間の累計値を記憶する。この場合、記憶部５５は、複数の電子機器１ごとに、電子機器１の駆動時間の累計値を記憶する。
【００６０】
判定部５１３は、複数の電子機器１ごとに、電子機器１の駆動時間の累計値が第１閾値ＴＨ１を超えたか否かを判定する。第１閾値ＴＨ１は、電子機器１が寿命に近づいたか否かを判定するための閾値である。第１閾値ＴＨ１は、例えば、電子機器１に対して予め設定された寿命（例えば、耐用年数、定格寿命、設計寿命）のＱ％に設定される。Ｑ％は、例えば、８０％以上９５％以下である。照明器具である電子機器１に予め設定された寿命は、具体的には、光源部１３（具体的には、発光素子等の光源）に予め設定された定格寿命または設計寿命である。定格寿命または設計寿命は、例えば光源の累積点灯時間で表すことができる。例えば、光源部１３がＬＥＤを含む場合は、予め設定された寿命は、４００００時間である。なお、電子機器１の寿命は、電子機器１の主要部の寿命を示す。例えば、電子機器１の寿命は、光源部１３に含まれる光源の寿命を示す。第１閾値ＴＨ１は、「閾値」の一例に相当する。
【００６１】
通信制御部５１５は、駆動時間の累計値が第１閾値ＴＨ１を超えたと判定された場合に、電子機器１の寿命に関する寿命情報ＬＦを報知する。
【００６２】
具体的には、通信制御部５１５は、駆動時間の累計値が第１閾値ＴＨ１を超えたと判定された場合に、電子機器１の寿命に関する寿命情報ＬＦを、ネットワークＮＷを介して通信端末３ａ及び／又は通信端末３ｂに送信するように、通信部５３を制御する。従って、通信部５３は、寿命情報ＬＦを、ネットワークＮＷを介して通信端末３ａ及び／又は通信端末３ｂに送信する。その結果、本実施形態によれば、電子機器１の寿命に関して、電子機器１に関係する者の利便性を向上できる。電子機器１に関係する者は、例えば、通信端末３ａの管理者である電子機器１のユーザー、又は、通信端末３ｂの管理者である電子機器１の販売業者若しくは製造業者である。
【００６３】
具体的には、寿命情報ＬＦが通信端末３ａ（ユーザー）に送信されると、電子機器１のユーザーは、電子機器１の寿命についての情報を得ることができる。その結果、ユーザーは、例えば、電子機器１の交換時期を予測できて、適切な時期に電子機器１を交換できる。
【００６４】
一方、寿命情報ＬＦが通信端末３ｂ（販売業者又は製造業者）に送信されると、電子機器１の販売業者又は製造業者は、電子機器１の寿命についての情報を得ることができる。その結果、販売業者又は製造業者は、例えば、電子機器１の交換時期を予測できて、電子機器１の購入を、購入の可能性の高い時期に、電子機器１のユーザーに促すことができる。
【００６５】
特に、本実施形態では、複数の電子機器１ごとに、電子機器１の駆動時間の累計値が第１閾値ＴＨ１を超えたか否かを判定することで、通信端末３ａ及び／又は通信端末３ｂに対して、複数の電子機器１ごとに寿命情報ＬＦを送信できる。従って、電子機器１に関係する者は、複数の電子機器１ごとに、電子機器１の寿命についての情報を得ることができる。その結果、電子機器１に関係する者の利便性を更に向上できる。
【００６６】
ここで、寿命情報ＬＦは、通信端末３の表示部３３に表示させる情報であってもよいし、通信端末３の音出力部３５に出力させる情報であってもよい。
【００６７】
寿命情報ＬＦは、例えば、電子機器１の寿命が到来予定であることを示す情報と、電子機器１の残り寿命を示す情報とのうちの少なくとも一方の情報を含む。例えば、電子機器１の残り寿命は、記憶部５５に予め記憶されている。この場合、電子機器１の残り寿命は、例えば、電子機器１に予め設定された寿命から第１閾値ＴＨ１を差し引いた期間である。例えば、電子機器１の残り寿命は、算出部５１１が算出してもよい。この場合、電子機器１の残り寿命は、例えば、電子機器１に予め設定された寿命から、駆動時間の累計値が第１閾値ＴＨ１を超えた時の電子機器１の駆動時間の累計値を差し引いた期間である。
【００６８】
通信端末３は、寿命情報ＬＦを送信することを要求するリクエスト信号をサーバー５に送信してもよい。リクエスト信号の送信時期は特に制限されない。この場合、サーバー５の通信部５３はリクエスト信号を受信する。そして、通信制御部５１５は、リクエスト信号に応答して、寿命情報ＬＦを報知する。
【００６９】
具体的には、通信制御部５１５は、ネットワークＮＷを介した通信端末３からのリクエスト信号に応答して、寿命情報ＬＦを、ネットワークＮＷを介して通信端末３に送信するように、通信部５３を制御する。この場合は、寿命情報ＬＦは、通信端末３からのリクエスト信号の受信時における電子機器１の寿命に関する情報である。そして、通信部５３は、寿命情報ＬＦを、ネットワークＮＷを介して通信端末３に送信する。従って、本実施形態によれば、電子機器１に関係する者は、通信端末３を介してリクエスト信号をサーバー５に送信することによって、所望の時期における寿命情報ＬＦを知ることができる。
【００７０】
リクエスト信号の受信時の寿命情報ＬＦは、例えば、リクエスト信号の受信時における電子機器１の駆動時間の累計値を示す情報と、リクエスト信号の受信時における電子機器１の残り寿命を示す情報とのうちの少なくとも一方の情報を含む。リクエスト信号の受信時における電子機器１の残り寿命は、算出部５１１が算出する。この場合、電子機器１の残り寿命は、例えば、電子機器１に予め設定された寿命から、リクエスト信号の受信時における電子機器１の駆動時間の累計値を差し引いた期間である。
【００７１】
また、サーバー５において、電子機器１の駆動時間の累計値が第１閾値ＴＨ１を超えたと判定された場合に、通信制御部５１５は、電子機器１に所定動作（以下、「所定動作ＡＣ１」と記載する。）を実行させる制御情報を生成してもよい。具体的には、電子機器１の駆動時間の累計値が第１閾値ＴＨ１を超えたと判定された場合に、通信制御部５１５は、電子機器１に所定動作ＡＣ１を実行させる制御情報を、ネットワークＮＷを介して通信端末３ａに送信するように、通信部５３を制御してもよい。この場合、通信部５３は、制御情報を、ネットワークＮＷを介して通信端末３ａに送信する。通信端末３ａの通信部３７が制御情報を受信すると、通信端末３ａの制御部３１は、電子機器１に所定動作ＡＣ１を実行させる制御信号を電子機器１に送信するように、通信部３７を制御する。そして、通信部３７は制御信号を電子機器１に送信する。
【００７２】
従って、電子機器１は、制御信号に従って所定動作ＡＣ１を実行する。その結果、本実施形態によれば、電子機器１のユーザーは、電子機器１の所定動作ＡＣ１によって、電子機器１の寿命が到来予定であることを知ることができる。電子機器１の所定動作ＡＣ１は、例えば、電子機器１の寿命が到来予定であることを表す動作である。例えば、電子機器１の所定動作ＡＣ１は、光源部１３を点滅させる動作である。
【００７３】
さらに、サーバー５において、通信制御部５１５は、電子機器１の駆動時間の累計値が第１閾値ＴＨ１を超えたと判定された場合に、電子機器１の代替品に関する情報と、電子機器１の代替品の販売に関する情報とのうちの少なくとも一方の情報を報知してもよい。
【００７４】
具体的には、通信制御部５１５は、電子機器１の駆動時間の累計値が第１閾値ＴＨ１を超えたと判定された場合に、電子機器１の代替品に関する情報と、電子機器１の代替品の販売に関する情報とのうちの少なくとも一方の情報を、ネットワークＮＷを介して通信端末３ａに送信するように、通信部５３を制御してもよい。この場合、通信部５３は、電子機器１の代替品に関する情報と、電子機器１の代替品の販売に関する情報とのうちの少なくとも一方の情報を、ネットワークＮＷを介して通信端末３ａ（ユーザー）に送信する。その結果、本実施形態によれば、電子機器１の代替品を購入する際のユーザーの利便性を向上できる。「代替品」は、電子機器１と同じ電子機器であってもよい。また、「代替品」は、例えば、電子機器１と異なる商品であっても、電子機器と同等の機能を有していればよい。
【００７５】
電子機器１の代替品に関する情報は、例えば、代替品のデザイン、機能、及び、値段のような各種情報を含む。電子機器１の代替品に関する情報は、例えば、互いに異なる複数の代替品の情報を含んでいてもよい。
【００７６】
電子機器１の代替品の販売に関する情報は、例えば、電子機器１の代替品を販売する電子商取引サイトのアドレス情報、又は、電子機器１の代替品を販売する電子商取引サイトを通信端末３ａに表示させるための情報を含む。
【００７７】
また、サーバー５において、判定部５１３は、複数の電子機器１ごとに、電子機器１の駆動時間の累計値が第２閾値ＴＨ２を超えたか否かを判定してもよい。第２閾値ＴＨ２は、電子機器１の部品が寿命に近づいたか否かを判定するための値である。第２閾値ＴＨ２は第１閾値ＴＨ１よりも小さい。第２閾値ＴＨ２は、例えば、電子機器１の部品に対して予め設定された寿命（例えば、耐用年数）のＰ％に設定される。Ｐ％は、例えば、８０％以上９５％以下の値である。照明器具である電子機器１の部品は、例えば、電源、セード、グローブ、カバー、又は、パネルである。
【００７８】
通信制御部５１５は、電子機器１の駆動時間の累計値が第２閾値ＴＨ２を超えたと判定された場合に、電子機器１の部品の寿命に関する部品寿命情報ＰＬＦを報知する。
【００７９】
具体的には、通信制御部５１５は、電子機器１の駆動時間の累計値が第２閾値ＴＨ２を超えたと判定された場合に、電子機器１の部品の寿命に関する部品寿命情報ＰＬＦを、ネットワークＮＷを介して通信端末３ａ及び／又は通信端末３ｂに送信するように、通信部５３を制御する。従って、通信部５３は、部品寿命情報ＰＬＦを、ネットワークＮＷを介して通信端末３ａ及び／又は通信端末３ｂに送信する。その結果、本実施形態によれば、電子機器１の部品の寿命に関して、電子機器１に関係する者の利便性を向上できる。
【００８０】
例えば、電子機器１のユーザーは、電子機器１の部品の交換時期を予測できて、適切な時期に電子機器１の部品を交換できる。一方、例えば、電子機器１の販売業者又は製造業者は、電子機器１の部品の交換時期を予測できて、電子機器１の部品の購入を、購入の可能性の高い時期に、電子機器１のユーザーに促すことができる。
【００８１】
特に、本実施形態では、複数の電子機器１ごとに、電子機器１の駆動時間の累計値が第２閾値ＴＨ２を超えたか否かを判定することで、通信端末３ａ及び／又は通信端末３ｂに対して、複数の電子機器１ごとに部品寿命情報ＰＬＦを送信できる。従って、電子機器１に関係する者は、複数の電子機器１ごとに、電子機器１の部品の寿命についての情報を得ることができる。その結果、電子機器１に関係する者の利便性を更に向上できる。
【００８２】
ここで、部品寿命情報ＰＬＦは、通信端末３の表示部３３に表示させる情報であってもよいし、通信端末３の音出力部３５に出力させる情報であってもよい。
【００８３】
部品寿命情報ＰＬＦは、例えば、電子機器１の部品の寿命が到来予定であることを示す情報と、電子機器１の部品の残り寿命を示す情報とのうちの少なくとも一方の情報を含む。例えば、電子機器１の部品の残り寿命は、記憶部５５に予め記憶されている。この場合、電子機器１の部品の残り寿命は、例えば、電子機器１の部品に予め設定された寿命から第２閾値ＴＨ２を差し引いた期間である。例えば、電子機器１の部品の残り寿命は、算出部５１１が算出してもよい。この場合、電子機器１の部品の残り寿命は、例えば、電子機器１の部品に予め設定された寿命から、駆動時間の累計値が第２閾値ＴＨ２を超えた時の電子機器１の駆動時間の累計値を差し引いた期間である。
【００８４】
なお、サーバー５において、通信制御部５１５は、通信端末３からのリクエスト信号に応答して、部品寿命情報ＰＬＦを報知してもよい。
【００８５】
具体的には、通信制御部５１５は、ネットワークＮＷを介した通信端末３からのリクエスト信号に応答して、部品寿命情報ＰＬＦを、ネットワークＮＷを介して通信端末３に送信するように、通信部５３を制御してもよい。この場合は、部品寿命情報ＰＬＦは、通信端末３からのリクエスト信号の受信時における電子機器１の部品の寿命に関する情報である。そして、通信部５３は、部品寿命情報ＰＬＦを通信端末３に送信する。従って、本実施形態によれば、電子機器１に関係する者は、通信端末３を介してリクエスト信号をサーバー５に送信することによって、所望の時期における部品寿命情報ＰＬＦを知ることができる。
【００８６】
リクエスト信号の受信時の部品寿命情報ＰＬＦは、例えば、リクエスト信号の受信時における電子機器１の部品の残り寿命を示す情報を含む。リクエスト信号の受信時における電子機器１の部品の残り寿命は、算出部５１１が算出する。この場合、電子機器１の部品の残り寿命は、例えば、電子機器１の部品に予め設定された寿命から、リクエスト信号の受信時における電子機器１の駆動時間の累計値を差し引いた期間である。
【００８７】
また、電子機器１の駆動時間の累計値が第２閾値ＴＨ２を超えたと判定された場合に、通信制御部５１５は、電子機器１に特定動作（以下、「特定動作ＡＣ２」と記載する。）を実行させる制御情報を生成してもよい。具体的には、電子機器１の駆動時間の累計値が第２閾値ＴＨ２を超えたと判定された場合に、通信制御部５１５は、電子機器１に特定動作ＡＣ２を実行させる制御情報を、ネットワークＮＷを介して通信端末３ａに送信するように、通信部５３を制御してもよい。この場合、通信部５３は、制御情報を通信端末３ａに送信する。通信端末３ａの通信部３７が制御情報を受信すると、通信端末３ａの制御部３１は、電子機器１に特定動作ＡＣ２を実行させる制御信号を電子機器１に送信するように、通信部５３を制御する。そして、通信部５３は制御信号を電子機器１に送信する。
【００８８】
従って、電子機器１は、制御信号に従って特定動作ＡＣ２を実行する。その結果、本実施形態によれば、電子機器１のユーザーは、電子機器１の特定動作ＡＣ２によって、電子機器１の部品の寿命が到来予定であることを知ることができる。電子機器１の特定動作ＡＣ２は、電子機器１の駆動時間の累計値が第１閾値ＴＨ１を超えたと判定された場合に電子機器１に実行させる所定動作ＡＣ１と異なる。例えば、所定動作ＡＣ１と特定動作ＡＣ２とで、光源部１３の点滅パターンが異なる。
【００８９】
さらに、サーバー５において、通信制御部５１５は、電子機器１の駆動時間の累計値が第２閾値ＴＨ２を超えたと判定された場合に、電子機器１の部品の代替品に関する情報と、電子機器１の部品の代替品の販売に関する情報とのうちの少なくとも一方の情報を報知してもよい。
【００９０】
具体的には、通信制御部５１５は、電子機器１の駆動時間の累計値が第２閾値ＴＨ２を超えたと判定された場合に、電子機器１の部品の代替品に関する情報と、電子機器１の部品の代替品の販売に関する情報とのうちの少なくとも一方の情報を、ネットワークＮＷを介して通信端末３ａに送信するように、通信部５３を制御してもよい。この場合、通信部５３は、電子機器１の部品の代替品に関する情報と、電子機器１の部品の代替品の販売に関する情報とのうちの少なくとも一方の情報を通信端末３ａ（ユーザー）に送信する。その結果、本実施形態によれば、電子機器１の部品の代替品を購入する際のユーザーの利便性を向上できる。「代替品」は、電子機器１の部品と同じ部品であってもよい。また、「代替品」は、例えば、電子機器１の部品と異なる商品であっても、電子機器１の部品と同等の機能を有していればよい。
【００９１】
電子機器１の部品の代替品に関する情報は、例えば、代替品のデザイン、機能、及び、値段のような各種情報を含む。電子機器１の部品の代替品に関する情報は、例えば、互いに異なる複数の代替品の情報を含んでいてもよい。
【００９２】
電子機器１の部品の代替品の販売に関する情報は、例えば、電子機器１の部品の代替品を販売する電子商取引サイトのアドレス情報、又は、電子機器１の部品の代替品を販売する電子商取引サイトを通信端末３ａに表示させるための情報を含む。
【００９３】
なお、図３を参照して説明した通信端末３の制御部３１が、算出部５１１、判定部５１３、及び、通信制御部５１５として機能し、通信端末３の通信部３７が通信部５３として機能し、通信端末３の記憶部３９が記憶部５５として機能してもよい。この場合は、サーバー５を省略できる。
【００９４】
次に、図４〜図８を参照して、サーバー５の処理の一例を説明する。まず、図４及び図５を参照して、サーバー５による状態信号リクエスト処理を説明する。状態信号リクエスト処理は、サーバー５が電子機器１に対して、電子機器１の状態を示す状態信号ＳＴを要求する処理である。状態信号ＳＴは、電子機器１が駆動中であることを示す。状態信号ＳＴは、「電子機器１の駆動時間を特定する情報ＤＴ」の一例に相当する。具体的には、状態信号ＳＴは、「電子機器１の駆動時間を特定するための情報」の一例に相当する。
【００９５】
図５は、サーバー５による状態信号リクエスト処理を示すフローチャートである。図５に示すように、状態信号リクエスト処理は、ステップＳ１と、ステップＳ２とを含む。
【００９６】
図４及び図５に示すように、ステップＳ１において、サーバー５の通信制御部５１５は、電子機器１に対して状態リクエスト信号を送信するように、通信部５３を制御する。その結果、通信部５３は、ネットワークＮＷを介して、状態リクエスト信号を電子機器１に送信する。状態リクエスト信号は、電子機器１に対して状態信号ＳＴの送信を要求する信号である。
【００９７】
ステップＳ２において、通信制御部５１５は、状態リクエスト信号を送信してから所定時間Ｔが経過したか否かを判定する。
【００９８】
ステップＳ２で所定時間Ｔが経過していないと判定された場合（Ｎｏ）、処理はステップＳ２を繰り返す。
【００９９】
一方、ステップＳ２で所定時間Ｔが経過したと判定された場合（Ｙｅｓ）、処理はステップＳ１に進む。従って、通信部５３は、状態リクエスト信号を所定時間Ｔ間隔で電子機器１に送信する。
【０１００】
次に、図４及び図６を参照して、サーバー５による状態信号受信処理を説明する。状態信号受信処理は、サーバー５が電子機器１から状態信号ＳＴを受信する処理である。
【０１０１】
図６は、サーバー５による状態信号受信処理を示すフローチャートである。図６に示すように、状態信号受信処理は、ステップＳ１１〜ステップＳ１４を含む。状態信号受信処理は、「電子機器の駆動時間を特定する情報を、電子機器からネットワークを介して受信するステップ」の一例に相当する。
【０１０２】
図４及び図６に示すように、ステップＳ１１において、サーバー５の通信制御部５１５は、通信部５３が電子機器１から状態信号ＳＴを受信したか否かを判定する。
【０１０３】
ステップＳ１１で通信部５３が状態信号ＳＴを受信していないと判定された場合（Ｎｏ）、処理はステップＳ１１を繰り返す。
【０１０４】
一方、ステップＳ１１で通信部５３が状態信号ＳＴを受信したと判定された場合（Ｙｅｓ）、処理はステップＳ１２に進む。
【０１０５】
ステップＳ１２において、サーバー５の算出部５１１は、通信部５３が状態信号ＳＴを受信したと判定された時の時刻情報を取得する。そして、算出部５１１は、時刻情報を電子機器１の駆動開始時刻として記憶するように、記憶部５５を制御する。その結果、記憶部５５は、通信部５３が状態信号ＳＴを受信したと判定された時の時刻情報を、電子機器１の駆動開始時刻として記憶する。
【０１０６】
ステップＳ１３において、通信制御部５１５は、直近の状態信号ＳＴの受信時から所定時間Ｔの経過時に、通信部５３が電子機器１から状態信号ＳＴを新たに受信したか否かを判定する。
【０１０７】
ステップＳ１３で通信部５３が新たに状態信号ＳＴを受信したと判定された場合（Ｙｅｓ）、処理はステップＳ１３を繰り返す。
【０１０８】
一方、ステップＳ１３で通信部５３が新たに状態信号ＳＴを受信しなかったと判定された場合（Ｎｏ）、処理はステップＳ１４に進む。
【０１０９】
ステップＳ１４において、算出部５１１は、通信部５３が状態信号ＳＴを新たに受信しなかったと判定された時の時刻情報を取得する。そして、算出部５１１は、時刻情報を電子機器１の駆動終了時刻として記憶するように、記憶部５５を制御する。その結果、記憶部５５は、通信部５３が状態信号ＳＴを新たに受信しなかったと判定された時の時刻情報を、電子機器１の駆動終了時刻として記憶する。そして、処理はステップＳ１１に進む。
【０１１０】
次に、図４、図７、及び図８を参照して、サーバー５による寿命評価処理を説明する。寿命評価処理は、サーバー５が電子機器１の寿命を評価する処理である。
【０１１１】
図７及び図８は、サーバー５による寿命評価処理を示すフローチャートである。図７及び図８に示すように、寿命評価処理は、ステップＳ２１〜ステップＳ３２を含む。
【０１１２】
図４及び図７に示すように、ステップＳ２１において、サーバー５の算出部５１１は、図６のステップＳ１２で記憶された駆動開始時刻とステップＳ１４で記憶された駆動終了時刻とに基づいて、電子機器１の駆動時間を算出する。
【０１１３】
ステップＳ２２において、算出部５１１は、電子機器１の駆動時間の累計値を算出する。具体的には、算出部５１１は、記憶部５５に直近で記憶された電子機器１の駆動時間の累計値に、ステップＳ２１で算出した駆動時間を加算して、新たに駆動時間の累計値を算出する。そして、算出部５１１は、新たに算出した駆動時間の累計値を記憶するように、記憶部５５を制御する。その結果、記憶部５５は、電子機器１の駆動時間の累計値を記憶する。ステップＳ２２は、「駆動時間を特定する情報に基づいて特定される駆動時間の累計値を算出するステップ」の一例に相当する。
【０１１４】
ステップＳ２３において、サーバー５の判定部５１３は、電子機器１の駆動時間の累計値が第２閾値ＴＨ２を超えているか否かを判定する。
【０１１５】
ステップＳ２３で累計値が第２閾値ＴＨ２を超えていないと判定された場合（Ｎｏ）、処理は、図８のステップＳ２７に進む。
【０１１６】
一方、ステップＳ２３で累計値が第２閾値ＴＨ２を超えたと判定された場合（Ｙｅｓ）、処理はステップＳ２４に進む。
【０１１７】
ステップＳ２４において、サーバー５の通信制御部５１５は、電子機器１の部品の寿命に関する部品寿命情報ＰＬＦを通信端末３ａ及び通信端末３ｂに送信するように、通信部５３を制御する。その結果、通信部５３は、部品寿命情報ＰＬＦを通信端末３ａ及び通信端末３ｂに送信する。
【０１１８】
ステップＳ２５において、通信制御部５１５は、電子機器１の部品の代替品を示す情報、及び、電子機器１の部品の代替品の販売に関する情報を通信端末３ａに送信するように、通信部５３を制御する。その結果、通信部５３は、電子機器１の部品の代替品を示す情報、及び、電子機器１の部品の代替品の販売に関する情報を通信端末３ａに送信する。
【０１１９】
ステップＳ２６において、通信制御部５１５は、電子機器１に特定動作ＡＣ２を実行させる制御情報を通信端末３ａに送信するように、通信部５３を制御する。その結果、通信部５３は、制御情報を通信端末３ａに送信する。そして、通信端末３ａは、制御情報を受信すると、電子機器１に特定動作ＡＣ２を実行させる制御信号を電子機器１に送信する。その結果、電子機器１は、制御信号に従って特定動作ＡＣ２を実行する。そして、処理は、図８のステップＳ２７に進む。
【０１２０】
図８に示すように、ステップＳ２７において、判定部５１３は、電子機器１の駆動時間の累計値が第１閾値ＴＨ１を超えているか否かを判定する。ステップＳ２７は、「累計値が閾値を超えたか否かを判定するステップ」の一例に相当する。
【０１２１】
ステップＳ２７で累計値が第１閾値ＴＨ１を超えていないと判定された場合（Ｎｏ）、処理は、ステップＳ３１に進む。
【０１２２】
一方、ステップＳ２７で累計値が第１閾値ＴＨ１を超えたと判定された場合（Ｙｅｓ）、処理はステップＳ２８に進む。
【０１２３】
ステップＳ２８において、通信制御部５１５は、電子機器１の寿命に関する寿命情報ＬＦを通信端末３ａ及び通信端末３ｂに送信するように、通信部５３を制御する。その結果、通信部５３は、寿命情報ＬＦを通信端末３ａ及び通信端末３ｂに送信する。ステップＳ２８は、「累計値が閾値を超えたと判定された場合に、電子機器の寿命に関する寿命情報を報知するステップ」の一例に相当する。
【０１２４】
ステップＳ２９において、通信制御部５１５は、電子機器１の代替品を示す情報、及び、電子機器１の代替品の販売に関する情報を通信端末３ａに送信するように、通信部５３を制御する。その結果、通信部５３は、電子機器１の代替品を示す情報、及び、電子機器１の代替品の販売に関する情報を通信端末３ａに送信する。
【０１２５】
ステップＳ３０において、通信制御部５１５は、電子機器１に所定動作ＡＣ１を実行させる制御情報を通信端末３ａに送信するように、通信部５３を制御する。その結果、通信部５３は、制御情報を通信端末３ａに送信する。そして、通信端末３ａは、制御情報を受信すると、電子機器１に所定動作ＡＣ１を実行させる制御信号を電子機器１に送信する。その結果、電子機器１は、制御信号に従って所定動作ＡＣ１を実行する。
【０１２６】
ステップＳ３１において、通信制御部５１５は、寿命情報ＬＦ又は部品寿命情報ＰＬＦの送信を要求するリクエスト信号を通信部５３が受信したか否かを判定する。
【０１２７】
ステップＳ３１でリクエスト信号が受信されていないと判定された場合（Ｎｏ）、処理は、図７のステップＳ２１に進む。
【０１２８】
一方、ステップＳ３１でリクエスト信号が受信されたと判定された場合（Ｙｅｓ）、処理はステップＳ３２に進む。
【０１２９】
ステップＳ３２において、通信制御部５１５は、寿命情報ＬＦ又は部品寿命情報ＰＬＦを、リクエスト信号を送信した通信端末３に送信するように、通信部５３を制御する。その結果、通信部５３は、寿命情報ＬＦ又は部品寿命情報ＰＬＦを通信端末３に送信する。そして、処理は、図７のステップＳ２１に進む。
【０１３０】
以上、図７及び図８を参照して説明したように、本実施形態によれば、電子機器１の駆動時間の累計値が第１閾値ＴＨ１を超えたと判定された場合に、寿命情報ＬＦが通信端末３ａ及び通信端末３ｂに送信される。従って、電子機器１の寿命に関して、電子機器１に関係する者の利便性を向上できる。
【０１３１】
ここで、図５に示す状態信号リクエスト処理、図６に示す状態信号受信処理、並びに、図７及び図８に示す寿命評価処理は、「情報処理方法」の一例に相当する。
【０１３２】
従って、本実施形態に係る情報処理方法は、サーバー５によって実行される。具体的には、サーバー５の記憶部５５に記憶されたコンピュータープログラムが、サーバー５（具体的には制御部１１）に図５〜図８に示す情報処理方法を実行させる。
【０１３３】
なお、図５に示す状態信号リクエスト処理及び図６に示す状態信号受信処理は、サーバー５で電子機器１の駆動時間を算出するときに実行する処理の一例であり、電子機器１の駆動時間を算出できる限りにおいては、サーバー５で駆動時間を算出するときに実行する処理は、特に限定されない。
【０１３４】
また、電子機器１がサーバー５に送信する情報ＤＴが、電子機器１の駆動時間を示す情報を含む場合は、図５に示す状態信号リクエスト処理、図６に示す状態信号受信処理、及び、図７のステップＳ２１を省略できる。
【０１３５】
さらに、図５〜図８に示す情報処理方法は、サーバー５が実行したが、実行主体はサーバー５に限定されない。例えば、複数の通信端末３のうちの１つの通信端末３が、図５〜図８に示す情報処理方法を実行してもよい。
【０１３６】
なお、電子機器１が、電子機器１の駆動時間の累計値を算出してもよい。この場合は、累計値が第１閾値ＴＨ１を超えたときに、電子機器１が、寿命情報ＬＦを通信端末３に送信したり、所定動作ＡＣ１を実行したりする。また、累計値が第２閾値ＴＨ２を超えたときに、電子機器１が、部品寿命情報ＰＬＦを通信端末３に送信したり、特定動作ＡＣ２を実行したりしてもよい。
【０１３７】
以上、図面を参照して本発明の実施形態について説明した。ただし、本発明は、上記の実施形態に限られるものではなく、その要旨を逸脱しない範囲で種々の態様において実施できる。また、上記の実施形態に開示される複数の構成要素は適宜改変可能である。例えば、ある実施形態に示される全構成要素のうちのある構成要素を別の実施形態の構成要素に追加してもよく、又は、ある実施形態に示される全構成要素のうちのいくつかの構成要素を実施形態から削除してもよい。
【０１３８】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【産業上の利用可能性】
【０１３９】
本発明は、情報処理装置、通信システム、コンピュータープログラム、及び、情報処理方法に関するものであり、産業上の利用可能性を有する。
【符号の説明】
【０１４０】
１    電子機器
３、３ａ、３ｂ    通信端末
５    サーバー（情報処理装置）
１００    通信システム
５１１    算出部
５１３    判定部
５１５    通信制御部（報知制御部）
【図１】
2020205181.tif 000003
【図２】
2020205181.tif 000004
【図３】
2020205181.tif 000005
【図４】
2020205181.tif 000006
【図５】
2020205181.tif 000007
【図６】
2020205181.tif 000008
【図７】
2020205181.tif 000009
【図８】
2020205181.tif 000010